(57)【特許請求の範囲】
【請求項１】
種々の断面形状が選択でき且つ棒状で、青における色相の範囲は１０ＢＧ，２．５Ｂ，５Ｂ，７．５Ｂ，１０Ｂ，２．５ＰＢ，５ＰＢ，７．５ＰＢ，１０ＰＢとし、赤における色相の範囲は１０Ｐ，２．５ＲＰ，５ＲＰ，７．５ＲＰ，１０ＲＰ，２．５Ｒ，５Ｒ，７．５Ｒ，１０Ｒとし、黄における色相の範囲は５ＹＲ，７．５ＹＲ，１０ＹＲ，２．５Ｙ，５Ｙ，７．５Ｙ，１０Ｙとし、１０ＢＧにおいては、７／６，６／６，５／６，４／６，３／６，６／８，５／８，４／８であり、２．５Ｂにおいては、７／６，６／６，５／６，４／６，３／６，２／６，６／８，５／８，４／８であり、５Ｂにおいては、７／６，６／６，５／６，４／６，３／６，２／６，６／８，５／８，４／８であり、７，５Ｂにおいては７／６，６／６，５／６，４／６，３／６，２／６，７／８，６／８，５／８，４／８，３／８であり、１０Ｂにおいては７／６，６／６，５／６，４／６，３／６，２／６，７／８，６／８，５／８，４／８，３／８，６／１０，５／１０，４／１０であり、２．５ＰＢにおいては、７／６，６／６，５／６，４／６，３／６，２／６，７／８，６／８，５／８，４／８，３／８，２／８，５／１０，４／１０，３／１０であり、５ＰＢにおいては、６／８，５／８，４／８，３／８，２／８，５／１０，４／１０，３／１０であり、７．５ＰＢにおいては、７／６，６／６，５／６，４／６，３／６，２／６，６／８，５／８，４／８，３／８，２／８，５／１０，４／１０，３／１０であり、１０ＰＢにおいては、６／８，５／８，４／８，３／８，５／１０，４／１０，３／１０であり、１０Ｐにおいては、６／１０，５／１０，４／１０，４／１２であり、２．５ＲＰにおいては、６／１０，５／１０，４／１０，３／１０，６／１２，５／１２，４／１２であり、５ＲＰにおいては、６／１０，５／１０，４／１０，３／１０，５／１２，４／１２であり、７．５ＲＰにおいては、６／１０，５／１０，４／１０，３／１０，６／１２，５／１２，４／１２であり、１０ＲＰにおいては、６／１０，５／１０，４／１０，３／１０，６／１２，５／１２，４／１２，５／１４であり、２．５Ｒにおいては、６／１２，５／１２，４／１２，３／１２，５／１４，４／１４であり、５Ｒにおいては、６／１０，５／１０，４／１０，３／１０，６／１２，５／１２，４／１２，３／１２，４／１４であり、７．５Ｒにおいては、６／１２，５／１２，４／１２，５／１４，４／１４であり、１０Ｒにおいては、６／１２，５／１２，４／１２，５／１４であり、５ＹＲにおいては、９／２，であり、７．５ＹＲにおいては、９／１，９／２であり、１０ＹＲにおいては、９／１，９／２，９／３であり、２．５Ｙにおいては、９／２，９／３，９／４，８／１０，８／１２，８／１４であり、５Ｙにおいては、９／３，９／４，９／６，８／８，８／１０，８／１２，８／１４であり、７．５Ｙにおいては、９／１，９／２，９／３，９／４であり、１０Ｙにおいては、９／２，９／３，９／４，９／６である範囲にある３原色を含む複数の異なった色の軽量粘土を押出成形し、該軽量粘土を同一寸法に切断し、各色の軽量粘土同士の接触を防止することができるスケール付仕切材を介して該軽量粘土を並べ、包装用フィルム又は包装用紙等の包装用資材で熱溶着又は接着剤によって密封包装することを特徴とする軽量粘土の包装方法。
【請求項２】
スケール付仕切材のスケールは、仕切材の上面又は側面に刻設又は突設したものであることを特徴とする請求項１記載の軽量粘土の包装方法。
【発明の詳細な説明】
【０００１】
【発明の属する技術分野】
本発明は特定範囲にある３原色を含む複数の色を有する手工芸用軽量粘土の包装方法に係るものである。
【０００２】
【従来の技術】
従来軽量粘土に限らず油粘土の様な極めて固い粘土を除いて一般の粘土では複数の色粘土を包装用フィルムや包装用紙等の包装用資材で一緒に包装することは困難であった。粘土同士が接触することによって他の色が付着してしまうからである。
【０００３】
粘土に他の色の粘土が付着すると、粘土創作において創作者の意図する色を正確に表現することが出来なくなるのである。
【０００４】
色彩の３原色である青、赤、黄の３原色に白及びその他各種の色で構成されている軽量粘土を、混合し任意の色を表出して高度の作品を創作するためには、粘土同士が接触して他の色が多少でも付着することは、色彩を厳しく表現することができ難くなるため、各種の色で構成されている軽量粘土は、従来各色毎に別々に包装していたのである。
【０００５】
色彩の３原色である青、赤、黄の３原色に白で構成されている軽量粘土を、混合し任意の色を表出するためには、これ等の色の配合、調合を正確に行なわなければならない、例えば茶色の軽量粘土を調合する場合、重量比で青色の軽量粘土１／４・赤色の軽量粘土２・黄色の軽量粘土３の割合で配合する。このような軽量粘土の配合をする場合、従来軽量粘土毎にその重量を測定していた為、非常に手間がかかつていた。このような手間をかけず容易に色配合の出来る方法が強く求められていたのである。
【０００６】
【発明が解決しようとする課題】
本発明はこのような事情に鑑みなされたもので、特定範囲に限定した３原色を含む複数の異なった色を有する手工芸用軽量粘土を互いに接触することなく、このような軽量粘土の配合、調合を容易に行なうことの出来るスケール付仕切材を用いて、包装用フィルム又は包装用紙等の包装用資材や透明の硬質プラスチック容器等で密封包装する方法である。
【０００７】
【課題を解決するための手段】
本発明は、種々の断面形状が選択でき且つ棒状で、青における色相の範囲は１０ＢＧ，２．５Ｂ，５Ｂ，７．５Ｂ，１０Ｂ，２．５ＰＢ，５ＰＢ，７．５ＰＢ，１０ＰＢとし、赤における色相の範囲は１０Ｐ，２．５ＲＰ，５ＲＰ，７．５ＲＰ，１０ＲＰ，２．５Ｒ，５Ｒ，７．５Ｒ，１０Ｒとし、黄における色相の範囲は５ＹＲ，７．５ＹＲ，１０ＹＲ，２．５Ｙ，５Ｙ，７．５Ｙ，１０Ｙとし、１０ＢＧにおいては、７／６，６／６，５／６，４／６，３／６，６／８，５／８，４／８であり、２．５Ｂにおいては、７／６，６／６，５／６，４／６，３／６，２／６，６／８，５／８，４／８であり、５Ｂにおいては、７／６，６／６，５／６，４／６，３／６，２／６，６／８，５／８，４／８であり、７，５Ｂにおいては７／６，６／６，５／６，４／６，３／６，２／６，７／８，６／８，５／８，４／８，３／８であり、１０Ｂにおいては７／６，６／６，５／６，４／６，３／６，２／６，７／８，６／８，５／８，４／８，３／８，６／１０，５／１０，４／１０であり、２．５ＰＢにおいては、７／６，６／６，５／６，４／６，３／６，２／６，７／８，６／８，５／８，４／８，３／８，２／８，５／１０，４／１０，３／１０であり、５ＰＢにおいては、６／８，５／８，４／８，３／８，２／８，５／１０，４／１０，３／１０であり、７．５ＰＢにおいては、７／６，６／６，５／６，４／６，３／６，２／６，６／８，５／８，４／８，３／８，２／８，５／１０，４／１０，３／１０であり、１０ＰＢにおいては、６／８，５／８，４／８，３／８，５／１０，４／１０，３／１０であり、１０Ｐにおいては、６／１０，５／１０，４／１０，４／１２であり、２．５ＲＰにおいては、６／１０，５／１０，４／１０，３／１０，６／１２，５／１２，４／１２であり、５ＲＰにおいては、６／１０，５／１０，４／１０，３／１０，５／１２，４／１２であり、７．５ＲＰにおいては、６／１０，５／１０，４／１０，３／１０，６／１２，５／１２，４／１２であり、１０ＲＰにおいては、６／１０，５／１０，４／１０，３／１０，６／１２，５／１２，４／１２，５／１４であり、２．５Ｒにおいては、６／１２，５／１２，４／１２，３／１２，５／１４，４／１４であり、５Ｒにおいては、６／１０，５／１０，４／１０，３／１０，６／１２，５／１２，４／１２，３／１２，４／１４であり、７．５Ｒにおいては、６／１２，５／１２，４／１２，５／１４，４／１４であり、１０Ｒにおいては、６／１２，５／１２，４／１２，５／１４であり、５ＹＲにおいては、９／２，であり、７．５ＹＲにおいては、９／１，９／２であり、１０ＹＲにおいては、９／１，９／２，９／３であり、２．５Ｙにおいては、９／２，９／３，９／４，８／１０，８／１２，８／１４であり、５Ｙにおいては、９／３，９／４，９／６，８／８，８／１０，８／１２，８／１４であり、７．５Ｙにおいては、９／１，９／２，９／３，９／４であり、１０Ｙにおいては、９／２，９／３，９／４，９／６である範囲にある３原色を含む複数の異なった色の軽量粘土を押出成形し、該軽量粘土を同一寸法に切断し、各色の軽量粘土同士の接触を防止することができるスケール付仕切材を介して該軽量粘土を並べ、包装用フィルム又は包装用紙等の包装用資材で熱溶着又は接着剤によって密封包装することを特徴とする軽量粘土の包装方法であり、スケール付仕切材のスケールは、仕切材の上面又は側面に刻設又は突設したものが望ましい。
【０００８】
【発明の実施の形態】
本発明の包装方法によって包装する軽量粘土とは、粘土の主構成材に例えば無機系又は有機系の軽量骨材であるセラミックバルーン、ガラスマイクロバルーン、シラスバルーン、シリカバルーン、フライアッシュバルーン、アルミノシリケートバルーン、粉末パーライト、バーミキュライト焼成物、ヒアロプサイト焼成物等の無機質発泡体、無機系多孔質粉体、フェノール樹脂、ウレタン樹脂、ポリエチレン樹脂、ポリスチレン樹脂等の有機質微小発泡体、塩化ビニリデン、アクリロニトリル、メタクリロニトリル、アクリル酸エステル、酢酸ビニル、架橋スチレンーアクリル、セルロース、ナイロン、フェノール等の微小中空体等に、パルプ繊維等の繊維分、無機質粉体又は有機質粉体、糊剤、これに顔料と水を加えた粘土や、繊維分に顔料を加えて着色させた紙粘土、オーブン粘土、パン粘土等である。これらの粘土は、いずれも軽量でその比重は０．１〜１．３ｇ／ｃｍ３の範囲である。
【０００９】
軽量粘土は顔料が添加された特定範囲の３原色である青、赤、黄の他白その他任意の色があり、これらの色を混合することによって自由に創作者の選択した色を表現することができるものである。３原色を特定範囲とするのは、特定範囲の軽量粘土を作製し、この３原色を配合し混練りすることによって、自由にしかも容易に任意の色を表現することが出来るためには、３原色の色相、明度、彩度が本発明によって示した範囲が最適であり、これを外れると３原色としての効果、効用が失われるからである。
【００１０】
本発明における軽量粘土の３原色として特定している範囲は、色の表示方法である三属性による表示（ＪＩＳ  Ｚ  ８７２１）に基ずき、色を三属性である色相、明度、彩度によって表示して、それぞれその範囲を次の様に限定したものである。
【００１１】
青における色相の範囲は１０ＢＧ，２．５Ｂ，５Ｂ，７．５Ｂ，１０Ｂ，２．５ＰＢ，５ＰＢ，７．５ＰＢ，１０ＰＢである。それぞれの色相において限定する明度と彩度の範囲を、明度／彩度で示す。１０ＢＧにおいては、７／６，６／６，５／６，４／６，３／６，６／８，５／８，４／８である。２．５Ｂにおいては、７／６，６／６，５／６，４／６，３／６，２／６，６／８，５／８，４／８であり、５Ｂにおいては、７／６，６／６，５／６，４／６，３／６，２／６，６／８，５／８，４／８であり、７，５Ｂにおいては７／６，６／６，５／６，４／６，３／６，２／６，７／８，６／８，５／８，４／８，３／８であり、１０Ｂにおいては７／６，６／６，５／６，４／６，３／６，２／６，７／８，６／８，５／８，４／８，３／８，６／１０，５／１０，４／１０である。２．５ＰＢにおいては、７／６，６／６，５／６，４／６，３／６，２／６，７／８，６／８，５／８，４／８，３／８，２／８，５／１０，４／１０，３／１０であり、５ＰＢにおいては、６／８，５／８，４／８，３／８，２／８，５／１０，４／１０，３／１０であり、７．５ＰＢにおいては、７／６，６／６，５／６，４／６，３／６，２／６，６／８，５／８，４／８，３／８，２／８，５／１０，４／１０，３／１０であり、１０ＰＢにおいては、６／８，５／８，４／８，３／８，５／１０，４／１０，３／１０である。
【００１２】
赤における色相の範囲は１０Ｐ，２．５ＲＰ，５ＲＰ，７．５ＲＰ，１０ＲＰ，２．５Ｒ，５Ｒ，７．５Ｒ，１０Ｒである。それぞれの色相において限定する明度と彩度の範囲を、明度／彩度で示す。１０Ｐにおいては、６／１０，５／１０，４／１０，４／１２である。２．５ＲＰにおいては、６／１０，５／１０，４／１０，３／１０，６／１２，５／１２，４／１２であり、５ＲＰにおいては、６／１０，５／１０，４／１０，３／１０，５／１２，４／１２であり、７．５ＲＰにおいては、６／１０，５／１０，４／１０，３／１０，６／１２，５／１２，４／１２であり、１０ＲＰにおいては、６／１０，５／１０，４／１０，３／１０，６／１２，５／１２，４／１２，５／１４である。２．５Ｒにおいては、６／１２，５／１２，４／１２，３／１２，５／１４，４／１４であり、５Ｒにおいては、６／１０，５／１０，４／１０，３／１０，６／１２，５／１２，４／１２，３／１２，４／１４であり、７．５Ｒにおいては、６／１２，５／１２，４／１２，５／１４，４／１４であり、１０Ｒにおいては、６／１２，５／１２，４／１２，５／１４である。
【００１３】
黄における色相の範囲は５ＹＲ，７．５ＹＲ，１０ＹＲ，２．５Ｙ，５Ｙ，７．５Ｙ，１０Ｙ，である。それぞれの色相において限定する明度と彩度の範囲を、明度／彩度で示す。５ＹＲにおいては、９／２，であり、７．５ＹＲにおいては、９／１，９／２であり、１０ＹＲにおいては、９／１，９／２，９／３である。２．５Ｙにおいては、９／２，９／３，９／４，８／１０，８／１２，８／１４であり、５Ｙにおいては、９／３，９／４，９／６，８／８，８／１０，８／１２，８／１４であり、７．５Ｙにおいては、９／１，９／２，９／３，９／４であり、１０Ｙにおいては、９／２，９／３，９／４，９／６である。
【００１４】
特定範囲にある３原色を含む複数の異なった色の軽量粘土は、押出成形機によって単独或いは同時に押出成形され、これらを定位置に送って同一寸法に切断する。
【００１５】
押出成形される軽量粘土の断面形状は種々選択することができる。例えば円形、正方形、六角形、八角形、花びらの形状をした断面など多数の形状があり、同じ断面形状で複数の色の軽量粘土を同一の包装袋に入れることにより、個別に包装する手間を省くと共に外観的にも商品価値を高めることができ、なによりも使用者にとって非常に便利である。
【００１６】
しかしこの軽量粘土は、青、赤、黄の特定範囲にある３原色及び白その他任意の色があり、各々の粘土が包装袋の中で互いに接触し他の色が付着して混色することは、高度の色彩を正確に表現する上で好ましくない。
【００１７】
このため、押出成形して同一寸法に切断して並べた特定範囲にある３原色を含む複数の異なった色の軽量粘土を、各粘土同士の接触を防止することの出来るスケール付仕切材を介して並べ、包装用フィルム又は包装用紙等の包装用資材で熱溶着又は接着剤によって密封包装する。又、スケール付仕切材を有する透明の硬質プラスチック容器に収納し、この容器を密封包装する。
【００１８】
スケール付仕切材は軽量粘土同士が接触せず、且つ、色の配合量が容易に計測できるもので、スケール付仕切カバー或いはスケール付仕切板と称することもでき、形状は如何なるものでもよいが、軽量粘土の長手方向に軽量粘土の長さと同じ長さであることが好ましい。仕切材の上面又は側面にスケールを刻設又は突設してスケール付仕切材とする。
【００１９】
軽量粘土をトレイの上に置き、軽量粘土間にスケール付仕切材を置いて包装する場合と、トレイを使用せずスケール付仕切材の間に直接軽量粘土を置いて包装する場合がある。トレイを用いてその上に軽量粘土を置いて包装する場合、スケール付仕切材のあるトレイを使用することが好ましい。スケール付仕切材の材質は、軽量粘土に付着し難いものであれば特に限定するものではなく、ポリオレフィン系のプラスチック等が好適に使用できる。
【００２０】
透明の硬質プラスチック容器を使用して密封包装する場合は、透明の硬質プラスチック容器に予めスケール付仕切材を付設しておく。このスケール付仕切材は軽量粘土と同じ長さの連続した長いものが好適であるが、軽量粘土の一部に接する短いものがいくつかあるものでもよく、この場合も短い仕切材にスケールを付設する。
【００２１】
各種の色の軽量粘土をロボット又は人力でスケール付仕切材を介して並べ、包装用フィルム又は包装用紙で被覆して包装する。軽量粘土の上面から被覆する場合は、載置した軽量粘土の上から包装用フィルム又は包装用紙等の包装用資材を被せ、縦方向の両端部を下面又は横面で熱溶着又は接着し、上下方向の両端部を熱溶着又は接着して包装する。包装用フィルム又は包装用紙等の包装用資材を下面から被覆する場合は、包装用資材の上に軽量粘土を載置し、縦方向の包装用フィルム又は包装用紙等の包装用資材の両端部を上面又は横面で熱溶着又は接着し、上下方向の包装用フィルムの両端部を熱溶着又は接着して包装する。
【００２２】
スケール付仕切材を有する透明の硬質プラスチック容器は、軽量粘土との剥離性に優れていることが必要であり、ポリオレフィン系のプラスチックが使用でき、ポリスチレン、ポリエチレン、ポリプロピレン等が好適である。スケール付仕切材を有するこれ等材質になる透明容器には、軽量粘土を収納するための開口部を有する。開口部は包装容器の片面、又は包装容器の長手方向の側面とし、この開口部から軽量粘土を収納せしめ、しかる後この開口部を容器付設の蓋、プラスチックフィルム、硬質プラスチック薄板、その他包装用資材等により密封包装する。
【００２３】
軽量粘土をスケール付仕切材を有するトレイに載置して包装する場合に使用するトレイは、スケール付仕切材と一体となったものであるため、スケール付仕切材と同じ材質のもので構成される。このような材質に使用できるものは、剥離性及び透明性に優れていることが必要であり、例えばポリエチレン、ポリスチレン、ポリプロピレン、テトラフロロエチレン（テフロン）、３ふっ化エチレン、６ふっ化プロピレン−４ふっ化共重合、ポリふっ化ビニルなどでこれ等は摩擦係数が少なくスリップ性も良好で、吸水率、透湿度、ガス透過性も少ないためより好適に使用できる。
【００２４】
本発明に使用する包装用フィルムは、印刷性が要求されると共に熱溶着（熱シール）の出来るものでなくてはならない。その上溶着し熱を除去した後要求する形状の保持が出来るもので、例えばポリエチレンフィルム、セロファンにポリエチレンをラミネートしたポリセロ、ポリエチラミネートポリエステルフィルム、コーテッドポリプロピレンフィルムなどが好適に使用できる。
【００２５】
本発明に使用する包装用紙は、非通気性、非透水性を有する単層の紙の他、ガスバリア性を有するプラスチックフィルム等と積層した積層紙等が使用出来る。包装用紙も包装用フィルムと同様、印刷性が要求されると共に熱溶着又は接着剤によって接着出来るものである。
【００２６】
軽量粘土を包装する方法として特定範囲にある、青、赤、黄の３原色のみ入れる場合、これに白を入れて４種類の軽量粘土を入れる場合、さらに黒及び白を入れて５種類の軽量粘土を入れる場合、各種の色を取り混ぜて１０色位の軽量粘土を入れる場合などがある。また長さも３０ｍｍ程度の短い場合から２００ｍｍ程度の長い場合などがある。
【００２７】
【実施例】
実施例について説明する。
【００２８】
実施例１  特定範囲にある青、赤、黄の３原色及び白４種類の円形断面の軽量粘土を扇形に配置した４台の別々の押出成形機によって押出して、押出成形した４種類の軽量粘土を各々１６０ｍｍに切断し扇形の中央に搬送し並列に並べた。この４種類の軽量粘土を厚さ０．５ｍｍ長さ１６０ｍｍのポリプロピレン製のトレイ一体型スケール付仕切材によって各粘土間の接触を不能とし、この軽量粘土の上に厚さ０．７ｍｍのポリセロ製包装用模様入りフィルムを載置し左右の端部を軽量粘土の下面で重ね合わせ重ね合わせ面を熱溶着した。次に軽量粘土の上下端両端部の重ね合わせ面も熱溶着し４種類の軽量粘土を同一包装袋で密封包装した。
【００２９】
スケール付仕切材のスケールは、軽量粘土間の各仕切材側面に１ｍｍ単位で刻設した。このスケールを使用して青、赤、黄３色の軽量粘土を、各々青２５ｍｍ、赤２ｃｍ、黄３ｃｍの長さにスケール付仕切材一体のトレイ上で切断して、これらを混練することによって容易に茶色の軽量粘土を調合作製することが出来た。
【００３０】
実施例２  実施例１と同様の４種類の軽量粘土を厚さ０．５ｍｍの透明の硬質ポリスチレン製でスケール付仕切材及び蓋を有する容器に収納し、蓋を熱溶着し４種類の軽量粘士を同一容器に密封包装した。
【００３１】
【発明の効果】
以上の如く本発明に成る軽量粘土の包装方法によると、各種断面形状で特定範囲にある３原色を含む複数の色を有する棒状に押出成形された軽量粘土を、スケール付仕切材によって互いに接触することなく、同一の包装袋に容易且つ外観良く密封包装することができ、しかも仕切材に刻設又は突設したスケールを使用することによって軽量粘土の各種の色の配合、調合を極めて容易にすることを可能としたのである。
【図面の簡単な説明】
【図１】包装した軽量粘土斜視図
【図２】スケール付仕切材斜視図
【図３】包装した軽量粘土断面図
【符号の説明】
１．包装袋
２．熱溶着部
３．各種の色の軽量粘土
４．トレイ
５．仕切材
６．スケール
７．包装用フィルム
【図１】
0004318064.tif 000002
【図２】
0004318064.tif 000003
【図３】
0004318064.tif 000004